(57)【要約】【課題】記憶媒体の空き容量が少なくなった場合に先取り連写撮影した場合においても、本来ユーザーが記録したい高速連写時の画像を記録することができる電子スチルカメラを提供する。【解決手段】電子スチルカメラが、撮影光学系によって形成された被写体像を映像信号に光電変換する撮像部と、撮像部から得られた該映像信号を記憶媒体に記録する記録部と、撮像部から出力される映像信号を一時的に複数画面分格納可能なバッファメモリ部とを有している。バッファメモリ部にはレリーズ信号発生前において撮像部から得られた映像信号が複数画面分格納される。電子スチルカメラは更に、空き容量検出部が検出した記憶媒体の空き容量に応じてバッファメモリ部から記憶媒体に転送記録される映像信号の画面数を設定する設定部と、予備撮影部によってバッファメモリ部に格納された映像信号を設定部で設定された画面分記憶媒体に転送記録する制御部とを備えている。【選択図】図１
2010177889.tif 000002
【特許請求の範囲】
【請求項１】
撮影光学系と、
前記撮影光学系によって形成された被写体像を映像信号に光電変換する撮像部と、
前記撮像部から得られた該映像信号を記憶媒体に記録する記録部と、
前記撮像部から出力される映像信号を一時的に複数画面分格納可能なバッファメモリ部と、
前記記録部による記録動作を開始するためのレリーズ信号発生部と、
前記レリーズ信号発生前に前記バッファメモリ部への映像信号格納動作を開始するための予備撮影信号発生部と、
前記予備撮影信号の発生に応答して前記撮像部から得られた映像信号を複数画面分前記バッファメモリ部に格納する予備撮影部と、
前記記憶媒体の空き容量を検出する空き容量検出部と、
前記空き容量検出部が検出した前記記憶媒体の空き容量に応じて、前記バッファメモリ部から前記記憶媒体に転送記録される映像信号の画面数を設定する設定部と、
前記予備撮影部によって前記バッファメモリ部に格納された映像信号を前記設定部で設定された画面分前記記憶媒体に転送記録する制御部と
を備えたことを特徴とする電子スチルカメラ。
【請求項２】
請求項１に記載の電子スチルカメラにおいて、
前記設定部が、
前記空き容量検出部が検出した前記記憶媒体の空き容量に基づいて前記記憶媒体に記録可能な画像枚数を算出し、当該算出した画像枚数に基づいて前記バッファメモリ部から前記記憶媒体に転送記録される映像信号の画面数を設定することを特徴とする電子スチルカメラ。
【請求項３】
請求項１または請求項２に記載の電子スチルカメラにおいて、
前記設定部が、
前記バッファメモリ部から前記記憶媒体に転送記録される映像信号の画面数を設定する場合において、前記空き容量検出部が検出した前記記録部の空き容量に応じて、先取り撮影による撮影枚数を連写撮影による枚数よりも多くなるように設定することを特徴とする電子スチルカメラ。
【発明の詳細な説明】
【技術分野】
【０００１】
本発明は、先取り撮影機能を有する電子スチルカメラに関する。
【背景技術】
【０００２】
高速連写撮影のオプション機能である先取り撮影機能を有する電子スチルカメラが知られている。この先取り撮影機能とは、高速連写をする撮影において、シャッターが押される直前に高速連写された数枚の画像を、シャッターが押されてから高速連写された画像とともに記録する撮影機能である。このような技術として、特許文献１の技術が知られている。
【先行技術文献】
【特許文献】
【０００３】
【特許文献１】特許第３１１４６５７号公報
【発明の概要】
【発明が解決しようとする課題】
【０００４】
ところで、先取り撮影する画像の枚数を何枚記録するかは、固定であるか、または、ユーザーが撮影をする前にあらかじめセットしていた。
そのため、特許文献１による電子スチルカメラの先取り撮影機能にあっては、保存用メモリである記憶媒体に撮影可能な残り枚数が少ないときに、先取り撮影の画像で保存用メモリが一杯になり、本来の連写での画像保存枚数が少なくなる問題があった。よって、記憶媒体の空き容量が少なくなった場合に先取り連写撮影した場合において、本来ユーザーが記録したい高速連写時の画像がほとんど記録されないことがあった。
【０００５】
本発明は、このような事情に鑑みてなされたもので、その目的は、記憶媒体の空き容量が少なくなった場合に先取り連写撮影した場合においても、本来ユーザーが記録したい高速連写時の画像を記録することができる電子スチルカメラを提供することにある。
【課題を解決するための手段】
【０００６】
この発明は上述した課題を解決するためになされたもので、撮影光学系と、前記撮影光学系によって形成された被写体像を映像信号に光電変換する撮像部と、前記撮像部から得られた該映像信号を記憶媒体に記録する記録部と、前記撮像部から出力される映像信号を一時的に複数画面分格納可能なバッファメモリ部と、前記記録部による記録動作を開始するためのレリーズ信号発生部と、前記レリーズ信号発生前に前記バッファメモリ部への映像信号格納動作を開始するための予備撮影信号発生部と、前記予備撮影信号の発生に応答して前記撮像部から得られた映像信号を複数画面分前記バッファメモリ部に格納する予備撮影部と、前記記憶媒体の空き容量を検出する空き容量検出部と、前記空き容量検出部が検出した前記記憶媒体の空き容量に応じて、前記バッファメモリ部から前記記憶媒体に転送記録される映像信号の画面数を設定する設定部と、前記予備撮影部によって前記バッファメモリ部に格納された映像信号を前記設定部で設定された画面分前記記憶媒体に転送記録する制御部とを備えたことを特徴とする電子スチルカメラである。
【発明の効果】
【０００７】
この発明によれば、空き容量検出部が検出した記憶媒体の空き容量に応じて、設定部が、バッファメモリ部から記憶媒体に転送記録する映像信号の画面数を設定する。これにより、記憶媒体の空き容量が少なくなった場合に先取り連写撮影した場合においても、本来ユーザーが記録したい高速連写時の画像を記録することができるという効果を奏する。
【図面の簡単な説明】
【０００８】
【図１】この発明の一実施形態による電子スチルカメラの構成を示すブロック図である。
【図２】一例としてのバッファメモリ部のメモリマップである。
【図３】本実施形態によるカメラの動作を説明する第１のフローチャートである。
【図４】本実施形態によるカメラの動作を説明する第２のフローチャートである。
【図５】一例としてのＳ１連写枚数とＳ２連写枚数とを示す第１の表である。
【図６】一例としてのＳ１連写枚数とＳ２連写枚数とを示す第２の表である。
【図７】本実施形態によるカメラの撮影動作を示す第１の図である。
【図８】本実施形態によるカメラの撮影動作を示す第２の図である。
【図９】本実施形態によるカメラの撮影動作を示す第３の図である。
【図１０】本実施形態によるカメラの撮影動作を示す第４の図である。
【図１１】本実施形態によるカメラの撮影動作を示す第５の図である。
【図１２】本実施形態によるカメラの撮影動作を示す第６の図である。
【図１３】本実施形態によるカメラの撮影動作を示す第７の図である。
【図１４】本実施形態によるカメラの撮影動作を示す第８の図である。
【図１５】本実施形態によるカメラの撮影動作を示す第９の図である。
【図１６】本実施形態によるカメラの撮影動作を示す第１０の図である。
【図１７】一例としてのバッファメモリ部に記憶される画像の順序を示す説明図である。
【図１８】一例としてのＳ１連写枚数とＳ２連写枚数とを示す第３の表である。
【発明を実施するための形態】
【０００９】
以下、図面を参照して、本発明の実施の形態について説明する。図１は、この発明の一実施形態による電子スチルカメラ１（以下、カメラ１と称する。）の構成を示す概略ブロック図である。この図１に示すように、カメラ１は、撮像部１０と、ＣＰＵ１５と、バッファメモリ部１６と、操作部１７と、画像処理部１８と、メモリ部１９と、Ｉ／Ｆ（インターフェース）部２０とを有する。
【００１０】
撮像部１０は、撮影レンズ１１を有する光学系１２、撮像素子１３およびＡ/Ｄ変換部１４を含み、設定された撮像条件（例えば絞り値、露出値等）に基づきＣＰＵ１５によって制御され、入射した光からデジタル信号である画像情報を生成する。すなわち、光学系１２は、設定されている絞り値に基づき、撮影レンズ１１から入射する光の光量を制御し、撮像素子１３の受光面に結像させる。
【００１１】
撮像素子１３は、設定されている露出値に基づき、撮像素子１３の露出時間を制御し、受光面に結像した画像信号を光電変換する。Ａ/Ｄ変換部１４は、撮像素子１３から出力されたアナログ信号の画像信号をデジタル信号に変換する。
【００１２】
このように、撮像部１０は、レリーズ釦等を介してユーザーから撮像指示を受けると、設定された絞り値、露出値等の撮像条件に基づき、撮影レンズ１１に入射した光から画像信号を生成し、画像情報としてバッファメモリ部１６に記憶する。
【００１３】
バッファメモリ部１６は、撮像部１０によって撮像された画像情報を一時的に記憶するメモリである。このバッファメモリ部１６は、ＲＡＭ素子などの記憶内容が書換え可能な半導体フレームメモリによって構成されており、撮影された静止画像の数画面分程度を記憶できる容量を有している。
【００１４】
記憶媒体２は、カメラ１本体側面のメモリカード挿入孔からカメラ１本体に対し着脱可能に設けられる。この記憶媒体２は、たとえばフラッシュメモリ等の不揮発性のメモリである。記憶媒体２への映像信号の記録は、Ａ／Ｄ変換部１４の出力の直接記録と、バッファメモリ部１６に一旦蓄えられた信号を読出して記録する転送記録の両方が可能である。この記憶媒体２は、一般的にバッファメモリ部１６よりも大きい記憶内容を有している。
【００１５】
Ｉ／Ｆ部２０は、記憶媒体２への画像情報の書き込み、および、記憶媒体２からの画像情報の読み出しを実行するインターフェース回路である。画像処理部１８は、後述するようにバッファメモリ部１６に記憶された画像情報に対して、画像変換処理および画像圧縮処理などを行う。ＣＰＵ１５は、操作部１７を介してユーザーによるスイッチ入力を受けて、カメラ１の動作を制御する。このＣＰＵ１５の構成については、後述する。
【００１６】
操作部１７は、半押しスイッチ１７１及びレリーズスイッチ１７２などを備えている。半押しスイッチ１７１及びレリーズスイッチ１７２は、カメラ１の外面に設けられているレリーズ釦の押圧動作に連動してオンとオフとに切り替わる。レリーズ釦の全ストロークの約半分まで軽く押し込まれると半押しスイッチ１７１がオフからオンに切り替わり、ほぼ全ストローク近くまで深く押し込まれるとレリーズスイッチ１７２もオフからオンに切り替わる。そして、レリーズスイッチ１７２は、ＣＰＵ１５による撮影動作を開始させるレリーズ信号を発生させる。
【００１７】
以降においては、半押しスイッチ１７１をスイッチＳ１と称し、レリーズスイッチ１７２をスイッチＳ２と称して説明する。また、スイッチＳ１のみを押し続けている間、バッファメモリ部１６に連続的に撮影画像データを保存することを「Ｓ１連写」と称し、この「Ｓ１連写」によりバッファメモリ部１６に連続的に保存された撮影画像データを以降「Ｓ１連写画像」と称して説明する。そして、この「Ｓ１連写画像」の枚数を「Ｓ１連写枚数」と称して説明する。
【００１８】
また、先取り用画像の取得中にスイッチＳ２を押下した後、スイッチＳ２を押し続けている間、バッファメモリ部１６に連続的に撮影画像データを保存することを「Ｓ２連写」と称し、バッファメモリ部１６に連続的に保存された撮影画像データを以降「Ｓ２連写画像」と称して説明する。そして、この「Ｓ２連写画像」の枚数を「Ｓ２連写枚数」と称して説明する。メモリ部１９には、上述したＳ１連写枚数の値を示す情報であるＳ１連写枚数情報が、撮影可能枚数と関連付けて予め記憶されている。
【００１９】
次に、ＣＰＵ１５の構成について説明する。ＣＰＵ１５は、予備撮影信号発生部と、予備撮影部と、空き容量検出部と、設定部と、制御部とを有している。予備撮影信号発生部は、レリーズスイッチ１７２がオンとなるレリーズ信号発生前にバッファメモリ部１６への映像信号格納動作を開始する。予備撮影部は、半押しスイッチ１７１がオンとなる予備撮影信号の発生に応答して撮像部から得られた映像信号を複数画面分バッファメモリ部１６に格納する。
【００２０】
空き容量検出部は、記憶媒体２の空き容量を、Ｉ／Ｆ部２０を介して検出する。設定部は、空き容量検出部が検出した記憶媒体２の空き容量に応じて、バッファメモリ部１６から記憶媒体２に転送記録する映像信号の画面数を設定する。制御部は、予備撮影部によってバッファメモリ部１６に格納された映像信号を、設定部で設定された画面分記憶媒体２にＩ／Ｆ部２０を介して転送記録する。
【００２１】
たとえばこの設定部は、空き容量検出部が検出した記憶媒体２の空き容量に基づいて、記憶媒体２に記録可能な画像枚数を算出する。そして設定部は、当該算出した画像枚数に基づいてバッファメモリ部１６から記憶媒体２に転送記録する映像信号の画面数を設定する。
【００２２】
ここで記憶媒体２に記録可能な画像枚数の算出は、撮影モードにより設定された画像サイズおよび圧縮率に応じて、画像１枚当たりの画像容量がほぼ決定される。そのため、たとえば設定部は、空き容量検出部が検出した記憶媒体２の空き容量の値を、撮影モードにより設定された画像サイズおよび圧縮率で決定される画像１枚当たりの画像容量の値で除算して算出する。
【００２３】
次に図２を用いて、一例としてのバッファメモリ部１６のメモリマップについて説明する。バッファメモリ部１６は、ＶＲＡＭ領域とＲＡＷ領域とＹＣｂＣｒ領域と圧縮データ領域とを有している。ＶＲＡＭ領域は、カメラ１が有する表示部に画像を表示する場合に用いられる。ＲＡＷ領域には、Ａ／Ｄ変換部１４によりＡ／Ｄ変換された映像信号が記録される。ＹＣｂＣｒ領域には、ＲＡＷ領域から読み出された画像が、画像処理部１８により画像変換処理されて記憶される。圧縮データ領域には、ＹＣｂＣｒ領域から読み出された画像が画像処理部１８により画像圧縮処理されて、複数毎記録される。本実施形態においては、この圧縮データ領域には、後述するように４５枚の画像が記録される。なお本実施形態においてはこの圧縮データ領域での処理が主となるため、以降においては、圧縮データ領域をバッファメモリ部１６と称して説明する。
【００２４】
次に図３と図４とを用いて、本実施形態によるカメラ１の動作、すなわち、ＣＰＵ１５の動作について説明する。ここではバッファメモリ部１６をバッファと称して説明する。
【００２５】
まず、残容量をチェックする（ステップＳ１０１）。次に、ステップＳ１０１でチェックした残容量に基づいて、記録可能枚数を算出する（ステップＳ１０２）。たとえば、撮影する画像の画像サイズや、当該画像を圧縮する場合の圧縮率に基づいて、画像１枚辺りの容量が予め定められている。そのため、ステップＳ１０１でチェックした残容量の値を、当該撮影を行う場合の画像１枚辺りの容量の値で除算することにより、記録可能枚数を算出する。次に、算出した記録可能枚数に基づいて、Ｓ１連写枚数を設定する（ステップＳ１０３）。
【００２６】
次に、スイッチＳ１がオンされているか否かを判定する（ステップＳ１０４）。このステップＳ１０４でスイッチＳ１がオンされていないと判定された場合には、処理をステップＳ１０４に戻す。すなわち、スイッチＳ１がオンされるまでステップＳ１０４の処理が繰り返される。
【００２７】
一方ステップＳ１０４でスイッチＳ１がオンされていると判定された場合には、Ｓ１連写により撮影する（ステップＳ１０５）。次に、Ｓ１連写により撮影された画像を、画像処理および圧縮処理する（ステップＳ１０６）。
【００２８】
次に、バッファがfullであるか否か（バッファの容量に空きがあるか否か）を判定する（ステップＳ１０７）。このステップＳ１０７でバッファがfullであると判定された場合には、バッファに記録されている画像のうち、最古の画像が記憶されているバッファ位置を書き込み位置に設定する（ステップＳ１０８）。一方ステップＳ１０７でバッファがfullでないと判定された場合には、バッファの空き領域の先頭位置を書き込み位置に設定する（ステップＳ１０９）。
【００２９】
次に、ステップＳ１０８またはステップＳ１０９で設定された書き込み位置のバッファに画像を蓄積する（ステップＳ１１０）。
【００３０】
次に、スイッチＳ１がオンされているか否かを判定する（ステップＳ１１１）。このステップＳ１０４でスイッチＳ１がオンされていると判定された場合には、処理をステップＳ１０５に戻す。すなわち、スイッチＳ１がオンされている期間においては、上述したステップＳ１０５からの処理が繰り返される。これにより、バッファに空き容量がある場合には、この空き容量に順に画像が蓄積されていく。そして、バッファに空き容量が無い場合またはバッファに空き容量が無くなった場合には、最古の画像が順に撮影された画像に上書きされていく。このようにして、連写により撮像された最新の画像がバッファの容量分だけバッファに蓄積される。
【００３１】
一方、上述したステップＳ１１１でスイッチＳ１がオンされていない判定された場合には、スイッチＳ２がオンされているか否かを判定する（ステップＳ１１２）。このステップＳ１１２でスイッチＳ２がオンされていないと判定された場合には、バッファに記憶された画像をクリアし（ステップＳ１１３）、処理をステップＳ１０４に戻す。
【００３２】
一方、上述したステップＳ１１２でスイッチＳ２がオンされていると判定された場合には、Ｓ２連写により撮影する（ステップＳ１２０）。次に、Ｓ２連写により撮影された画像を、画像処理および圧縮処理する（ステップＳ１２１）。
【００３３】
次に、スイッチＳ１がオフされているか否かを判定する（ステップＳ１２２）。このステップＳ１２２でスイッチＳ１がオフされていないと判定された場合には、バッファ枚数からＳ１連写枚数を減じた枚数だけＳ２連写が行われたか否かを判定する（ステップＳ１２３）。
【００３４】
このステップＳ１２３で、バッファ枚数からＳ１連写枚数を減じた枚数だけＳ２連写が行われていないと判定された場合には、処理をステップＳ１２０に戻す。一方ステップＳ１２３で、バッファ枚数からＳ１連写枚数を減じた枚数だけＳ２連写が行われた判定された場合には、設定された枚数のＳ１連写画像とＳ２連写画像とを記憶媒体に記録し（ステップＳ１２４）、処理をステップＳ１０１に戻す。なお、このステップＳ１２４で、設定された枚数のＳ１連写画像のうち、新しいものから順に記録する。
【００３５】
次に、図５を用いて、一例としてのＳ１連写枚数とＳ２連写枚数とについて説明する。なお以降においては、連写可能な枚数が４５枚すなわちバッファメモリ部１６に記録される画像枚数が４５枚の場合について説明する。なお、たとえばメモリ部１９に、ここで説明するＳ１連写枚数の値を示す情報であるＳ１連写枚数情報が、撮影可能枚数と関連付けて予め記憶されている。
【００３６】
（ａ）記憶媒体２に記録可能な画像枚数が４５枚以上の場合には、すなわち、記憶媒体２に十分な空き容量がある通常状態の場合には、Ｓ１連写枚数を１０枚とし、Ｓ２連写枚数を連写可能な枚数の残り枚数である３５枚（＝４５枚−１０枚）とする。
【００３７】
（ｂ）記憶媒体２に記録可能な画像枚数が７枚以上４４枚以下の場合には、すなわち、記憶媒体２の容量が少ない場合には、Ｓ１連写枚数を５枚とし、Ｓ２連写枚数を連写可能な枚数の残り枚数（保存可能枚数−６枚）とする。
【００３８】
（ｃ）記憶媒体２に記録可能な画像枚数が１枚以上６枚以下の場合には、すなわち、記憶媒体２の容量が非常に少ない場合には、Ｓ１連写枚数を５枚とし、Ｓ２連写枚数を連写可能な枚数の残り枚数（保存可能枚数−６枚）とする。
【００３９】
この図５を用いて説明したＳ１連写枚数とＳ２連写枚数とは、ユーザーがＳ１連写画像を最大枚数撮影した場合のＳ１連写枚数とＳ２連写枚数との対応を示す表である。とろこで、ユーザーによりスイッチＳ１が押下されていて、スイッチＳ２が押下されていない期間にＳ１連写画像が撮影される。そのため、Ｓ１連写枚数は、ユーザーの撮影方法に依存している。
【００４０】
次に、図６を用いて、ユーザーが任意の枚数だけＳ１連写画像した場合におけるＳ１連写枚数とＳ２連写枚数との最大枚数について説明する。
【００４１】
（ａ１）記憶媒体２に記録可能な画像枚数が４５枚以上の場合であって、ユーザーがＳ１連写画像を１０枚以上保存した場合には、Ｓ１連写枚数を１０枚とし、Ｓ２連写枚数を３５枚とする。ここでＳ１連写画像は、最新の１０枚以外はＳ２連射画像に上書きされるものとする。すなわちＳ１連写画像をＳ２連射画像の直前の１０枚とする。
【００４２】
（ａ２）記憶媒体２に記録可能な画像枚数が４５枚以上の場合であって、ユーザーがＳ１連写画像をＮ枚（ここでのＮは０〜９）保存した場合には、Ｓ１連写枚数をＮ枚とし、Ｓ２連写枚数を（４５−Ｎ）枚とする。すなわち、バッファメモリ部１６の容量の上限まで連射画像を保存する。
【００４３】
（ｂ１）記憶媒体２に記録可能な画像枚数が７枚以上４４枚以下の場合であって、ユーザーがＳ１連写画像を５枚以上保存した場合には、Ｓ１連写枚数を５枚とし、Ｓ２連写枚数を連写可能な枚数の残り枚数（保存可能枚数−５枚）とする。ここでＳ１連写画像は、最新の５枚以外はＳ２連射画像に上書きされるものとする。すなわちＳ１連写画像をＳ２連射画像の直前の５枚とする。
【００４４】
（ｂ２）記憶媒体２に記録可能な画像枚数が７枚以上４４枚以下の場合であって、ユーザーがＳ１連写画像をＮ枚（ここでのＮは０〜５）保存した場合には、Ｓ１連写枚数をＮ枚とし、Ｓ２連写枚数を連写可能な枚数の残り枚数（保存可能枚数−Ｎ枚）とする。すなわち、保存可能枚数の上限からＳ１連写画像保存枚数を引いた分までＳ２連写画像を保存する。
【００４５】
（ｃ１）記憶媒体２に記録可能な画像枚数が１枚以上６枚以下の場合には、ユーザーによるＳ１連写画像の枚数に依存せずに、Ｓ１連写枚数を０枚とし、Ｓ２連写枚数を連写可能な枚数の残り枚数（保存可能枚数−０枚）とする。すなわち、Ｓ２連写画像のみを保存する。
【００４６】
次に図７から図１６を用いて、本実施形態によるカメラ１の具体的な撮影動作について説明する。ここで、以降の図において用いる符号について説明しておく。まず、フレームＮｏについて説明する。カメラ１内部においては、所定の時間毎に撮像素子１３を走査して撮影している。ここでフレームＮｏは、撮像素子１３を走査した回数を示す識別情報である。以下の説明においては、フレームＮｏがフレームＮｏ０１から順に続いているものとして、カメラ１の動作を説明する。また、順に撮影される画像を識別するために、撮影される画像の順に画像に番号を付し、画像０１、画像０２、画像０３、・・・と称して説明する。また、ここではスイッチＳ２が途中で押下されたフレームＮｏにおいて撮影された画像を、Ｓ２連写画像に含めて説明する。
【００４７】
＜保存可能枚数が４５枚以上の場合＞
まず図７から図１０を用いて、保存可能枚数が４５枚以上の場合について説明する。この場合、保存可能枚数が４５枚以上であるために、Ｓ１連写画像の最大枚数は１０枚となる。また、この場合Ｓ２連写枚数の最大枚数は３５（＝４５−１０）枚となる。
【００４８】
最初に図７を用いて、Ｓ１連写画像を１０枚以上取得した後に、Ｓ２連写画像をバッファfullまで撮影した場合について説明する。たとえばフレームＮｏ０２の途中からフレームＮｏ５１の途中までの期間においてスイッチＳ１の押下が開始され、フレームＮｏ５１の途中からフレームＮｏ８５以降の期間においてスイッチＳ２が押下されていた場合について説明する。
【００４９】
まず、フレームＮｏ０２の途中でスイッチＳ１の押下されたことに応じて、フレームＮｏ０３からＳ１連射画像として撮影する。その後フレームＮｏが増加する毎に、Ｓ１連射画像として順に撮影する。そしてフレームＮｏ４７で、バッファメモリ部１６の容量の上限である４５枚の画像を撮影する。
【００５０】
このフレームＮｏ４７でバッファメモリ部１６の容量の上限である４５枚の画像を撮影したために、次のフレームＮｏ４８において、バッファメモリ部１６に記録された画像のうち最も古い画像から上書きして撮影する。たとえばフレームＮｏ４８で、画像０１を画像４６で上書きして撮影する。その後フレームＮｏが増加する毎に、バッファメモリ部１６に記録された画像のうち最も古い画像から順に上書きして撮影する。
【００５１】
次に、フレームＮｏ５１の途中でスイッチＳ２が押下されたことに応じて、フレームＮｏ５１からの画像をＳ２連射画像として撮影する。その後フレームＮｏが増加する毎に、Ｓ２連射画像として順に撮影する。そしてフレームＮｏ８５で、Ｓ２連射画像の最大枚数である３５枚のＳ２連射画像を撮影する。
【００５２】
このフレームＮｏ８５での処理が完了してＳ２連射画像の最大枚数である３５枚のＳ２連射画像を撮影したことに応じて、バッファメモリ部１６に記録した画像を記憶媒体２に保存する。この場合、スイッチＳ２が押下される直前の１０枚のＳ１連写画像と、３５枚のＳ２連写画像とを保存する。すなわちフレームＮｏ４１から５０の１０枚のＳ１連写画像と、フレームＮｏ５１から８５の３５枚のＳ２連写画像との合計４５枚の画像を保存する。
【００５３】
次に図８を用いて、Ｓ１連写画像を１０枚以上取得した後に、Ｓ２連写画像をバッファfullまで撮影しない場合について説明する。たとえばフレームＮｏ０２の途中からフレームＮｏ５１の途中までの期間においてスイッチＳ１の押下が開始され、フレームＮｏ５１の途中からフレームＮｏ８３の途中までの期間においてスイッチＳ２が押下されていた場合について説明する。
【００５４】
ユーザーにスイッチＳ２が離されるフレームＮｏ８２までの図８の動作は、図７のフレームＮｏ８２までの動作と同様であるため、その説明を省略し、動作の相違点のみについて説明する。図８においては、フレームＮｏ８３の途中においてユーザーがスイッチＳ２を離したことに応じて、バッファメモリ部１６に記録した画像を記憶媒体２に保存する。
【００５５】
この場合、スイッチＳ２が押下される直前の１０枚のＳ１連写画像と、スイッチＳ２を離したフレームＮｏ８３までの３３枚のＳ２連写画像とを保存する。すなわちフレームＮｏ４１から５０の１０枚のＳ１連写画像と、フレームＮｏ５１から８３の３３枚のＳ２連写画像との合計４３枚の画像を保存する。
【００５６】
次に図９を用いて、Ｓ１連写画像を９枚以下取得した後に、Ｓ２連写画像をバッファfullまで撮影した場合について説明する。たとえばフレームＮｏ４５の途中からフレームＮｏ５１の途中までの期間においてスイッチＳ１の押下が開始され、フレームＮｏ５１の途中からフレームＮｏ９０以降の期間においてスイッチＳ２が押下されていた場合について説明する。
【００５７】
この図９の動作の場合、Ｓ１連写枚数がフレームＮｏ４６から５０の５枚となるため、Ｓ２連写枚数の最大枚数が４０（＝４５−５）枚となる。そのため、フレームＮｏ４６から５０の５枚のＳ１連写画像と、フレームＮｏ５１から９０の４０枚のＳ２連写画像との合計４５枚の画像が保存される。
【００５８】
次に図１０を用いて、Ｓ１連写画像を９枚以下取得した後に、Ｓ２連写画像をバッファfullまで撮影しない場合について説明する。たとえばフレームＮｏ４５の途中からフレームＮｏ５１の途中までの期間においてスイッチＳ１の押下が開始され、フレームＮｏ５１の途中からフレームＮｏ８７の途中までの期間においてスイッチＳ２が押下されていた場合について説明する。
【００５９】
この図１０の動作の場合、Ｓ１連写枚数がフレームＮｏ４６から５０の５枚となるため、Ｓ２連写枚数の最大枚数が４０（＝４５−５）枚となる。しかし、フレームＮｏ８７の途中でユーザーがスイッチＳ２で離すために、このフレームＮｏ８７までのＳ２連写画像が保存される。そのため、フレームＮｏ４６から５０の５枚のＳ１連写画像と、フレームＮｏ５１から８７の３７枚のＳ２連写画像との合計４２枚の画像が保存される。
【００６０】
＜保存可能枚数が７枚以上４４枚以下の場合＞
次に図１１から図１４を用いて、保存可能枚数が７枚以上４４枚以下の場合について説明する。この場合、保存可能枚数が７枚以上４４枚以下であるために、Ｓ１連写枚数の最大枚数は５枚となる。ここでは保存可能枚数が４０枚であった場合について具体的に説明する。また、この場合Ｓ２連写枚数の最大枚数は３５（＝４０−５）枚となる。
【００６１】
最初に図１１を用いて、Ｓ１連写画像を５枚以上取得した後に、Ｓ２連写画像をバッファfullまで撮影した場合について説明する。たとえばフレームＮｏ０２の途中からフレームＮｏ５１の途中までの期間においてスイッチＳ１の押下が開始され、フレームＮｏ５１の途中からフレームＮｏ８５以降の期間においてスイッチＳ２が押下されていた場合について説明する。
【００６２】
この図１１の動作は、図７の動作の場合と対比して、Ｓ２連射画像の最大枚数である３５枚のＳ２連射画像を撮影するまでは同様である。よって、Ｓ２連射画像の最大枚数である３５枚のＳ２連射画像を撮影するまでの動作については省略し、相違点のみについて説明する。
【００６３】
図１１の動作においては、フレームＮｏ８５での処理が完了してＳ２連射画像の最大枚数である３５枚のＳ２連射画像を撮影したことに応じて、バッファメモリ部１６に記録した画像を記憶媒体２に保存する。この場合、スイッチＳ２が押下される直前の５枚のＳ１連写画像と、３５枚のＳ２連写画像とを保存する。すなわちフレームＮｏ４６から５０の５枚のＳ１連写画像と、フレームＮｏ５１から８５の３５枚のＳ２連写画像との合計４０枚の画像を保存する。このように、図７の動作の場合はＳ１連写画像が１０枚であったのに対して、図１１の動作の場合はＳ１連写画像が５枚となる点が相違する。
【００６４】
上述した図７と図１１とにおいて、ユーザーはフレームＮｏ０２の途中でスイッチＳ１を押下し、フレームＮｏ５１の途中からスイッチＳ２を押下し続けており、ユーザーの動作は同様である。ただし、図７では保存可能枚数が４５枚以上あるのに対して、図１１では保存可能枚数が４０枚と少ない。このように保存可能枚数が最大連写枚数よりも少ない場合において、本実施形態によるカメラ１は、Ｓ１連写枚数を１０枚から５枚に減じて撮影する。従って本実施形態によれば、保存可能枚数が最大連写枚数よりも少ない場合においても、保存可能枚数が最大連写枚数以上ある場合と同じ操作により撮影するのみで、本来ユーザーが記録したい高速連写時の画像を記録することができる。
【００６５】
次に図１２を用いて、Ｓ１連写画像を５枚以上取得した後に、Ｓ２連写画像をバッファfullまで撮影しない場合について説明する。たとえばフレームＮｏ０２の途中からフレームＮｏ５１の途中までの期間においてスイッチＳ１の押下が開始され、フレームＮｏ５１の途中からフレームＮｏ８２の途中までの期間においてスイッチＳ２が押下されていた場合について説明する。
【００６６】
ユーザーにスイッチＳ２が離されるフレームＮｏ８２までの図１２の動作は、図８のフレームＮｏ８２までの動作と同様であるため、その説明を省略し、動作の相違点のみについて説明する。図１２においては、フレームＮｏ８３の途中においてユーザーがスイッチＳ２を離したことに応じて、バッファメモリ部１６に記録した画像を記憶媒体２に保存する。
【００６７】
この場合、スイッチＳ２が押下される直前の５枚のＳ１連写画像と、スイッチＳ２を離したフレームＮｏ８３までの３３枚のＳ２連写画像とを保存する。すなわちフレームＮｏ４６から５０の５枚のＳ１連写画像と、フレームＮｏ５１から８３の３３枚のＳ２連写画像との合計３８枚の画像を保存する。このように、図８の動作の場合はＳ１連写画像が１０枚であったのに対して、図１２の動作の場合はＳ１連写画像が５枚となる点が相違する。
【００６８】
上述した図８と図１２とにおいては、ユーザーはフレームＮｏ０２の途中でスイッチＳ１を押下し、フレームＮｏ５１の途中からスイッチＳ２を押下し、フレームＮｏ８３の途中でスイッチＳ２を押しており、ユーザーの動作は同様である。ただし、図８では保存可能枚数が４５枚以上あるのに対して、図１２では保存可能枚数が４０枚と少ない。このように保存可能枚数が最大連写枚数よりも少ない場合において、本実施形態によるカメラ１は、Ｓ１連写枚数を１０枚から５枚に減じて撮影する。従って本実施形態によれば、保存可能枚数が最大連写枚数よりも少ない場合においても、保存可能枚数が最大連写枚数以上ある場合と同じ操作により撮影するのみで、本来ユーザーが記録したい高速連写時の画像を記録することができる。
【００６９】
次に図１３を用いて、Ｓ１連写画像を６枚以下取得した後に、Ｓ２連写画像をバッファfullまで撮影した場合について説明する。たとえばフレームＮｏ４６の途中からフレームＮｏ５１の途中までの期間においてスイッチＳ１の押下が開始され、フレームＮｏ５１の途中からフレームＮｏ８６以降の期間においてスイッチＳ２が押下されていた場合について説明する。
【００７０】
この図９の動作の場合、Ｓ１連写枚数がフレームＮｏ４７から５０の４枚となるため、Ｓ２連写枚数の最大枚数が３６（＝４０−４）枚となる。そのため、フレームＮｏ４７から５０の４枚のＳ１連写画像と、フレームＮｏ５１から８６の３６枚のＳ２連写画像との合計４０枚の画像が保存される。
【００７１】
次に図１４を用いて、Ｓ１連写画像を６枚以下取得した後に、Ｓ２連写画像をバッファfullまで撮影しない場合について説明する。たとえばフレームＮｏ４６の途中からフレームＮｏ５１の途中までの期間においてスイッチＳ１の押下が開始され、フレームＮｏ５１の途中からフレームＮｏ８２の途中までの期間においてスイッチＳ２が押下されていた場合について説明する。
【００７２】
この図１０の動作の場合、Ｓ１連写枚数がフレームＮｏ４７から５０の４枚となるため、Ｓ２連写枚数の最大枚数が３６（＝４０−４）枚となる。しかし、フレームＮｏ８２の途中でユーザーがスイッチＳ２で離すために、このフレームＮｏ８２までのＳ２連写画像が保存される。そのため、フレームＮｏ４７から５０の４枚のＳ１連写画像と、フレームＮｏ５１から８２の３２枚のＳ２連写画像との合計２６枚の画像が保存される。
【００７３】
上記に図１３と図１４とを用いて説明した本実施形態によるカメラ１は、図１１と図１２との場合と同様に、Ｓ１連写枚数を５枚に減じて撮影する。よって図１３と図１４とを用いて説明した本実施形態によるカメラ１は、図１１と図１２との場合と同様に、保存可能枚数が最大連写枚数よりも少ない場合においても、保存可能枚数が最大連写枚数以上ある場合と同じ操作により撮影するのみで、本来ユーザーが記録したい高速連写時の画像を記録することができる。
【００７４】
なお、上述した図１１から図１４においては保存可能枚数が４０枚の場合について説明しているが、保存可能枚数が７枚以上４４枚以下の場合でも、Ｓ１連写枚数とＳ２連写枚数とが変更されるのみで、その動作は上述した図１１から図１４の場合と同様である。
【００７５】
＜保存可能枚数が１枚以上６枚以下の場合＞
次に図１５と図１６とを用いて、保存可能枚数が１枚以上６枚以下の場合について説明する。この場合、保存可能枚数が１枚以上６枚以下であるために、Ｓ１連写枚数の最大枚数は０枚となる。ここでは保存可能枚数が４枚であった場合について具体的に説明する。また、この場合Ｓ２連写枚数の最大枚数は４（＝４−０）枚となる。
【００７６】
最初に図１５を用いて、Ｓ２連写画像をバッファfullまで撮影した場合について説明する。たとえばフレームＮｏ４６の途中からフレームＮｏ５１の途中までの期間においてスイッチＳ１の押下が開始され、フレームＮｏ５１の途中からフレームＮｏ８５以降の期間においてスイッチＳ２が押下されていた場合について説明する。
【００７７】
図１５の動作においては、Ｓ１連写枚数の最大枚数は０枚でありＳ２連写枚数の最大枚数は４枚であるため、Ｓ２連射画像の最大枚数である４枚のＳ２連射画像を撮影したことに応じて、フレームＮｏ５１から５４の４枚の画像を、バッファメモリ部１６から記憶媒体２に保存する。
【００７８】
次に図１６を用いて、Ｓ２連写画像をバッファfullまで撮影しない場合について説明する。たとえばフレームＮｏ４６の途中からフレームＮｏ５１の途中までの期間においてスイッチＳ１の押下が開始され、フレームＮｏ５１の途中からフレームＮｏ５３の途中までの期間においてスイッチＳ２が押下されていた場合について説明する。
【００７９】
図１６の動作においては、Ｓ１連写枚数の最大枚数は０枚でありＳ２連写枚数の最大枚数は４枚であるため、ユーザーにスイッチＳ２が離されるフレームＮｏ５３までの３枚の画像をバッファメモリ部１６から記憶媒体２に保存する。
【００８０】
上述したように図１５および図１６の場合は保存可能枚数が４枚であり、保存可能枚数が少ない。このように保存可能枚数が少ない場合においても、本実施形態によるカメラ１は、Ｓ１連写枚数を０枚に減じて撮影する。よって図１５と図１６とを用いて説明した本実施形態によるカメラ１は、図１１から図１４の場合と同様に、保存可能枚数が最大連写枚数よりも少ない場合においても、保存可能枚数が最大連写枚数以上ある場合と同じ操作により撮影するのみで、本来ユーザーが記録したい高速連写時の画像を記録することができる。
【００８１】
なお、上述した図１５および図１６においてはＳ１連写画像が４枚である場合について説明しているが、保存可能枚数が１枚以上６枚以下の場合にはＳ１連写画像は保存しないために、Ｓ１連写画像が何枚であっても、その動作は上述した図１５および図１６の場合と同様である。
【００８２】
次に図１７を用いて、一例としてのバッファメモリ部１６のメモリ構成について説明する。ここでは連写可能な枚数が４５枚であり、Ｓ１連写画像が１０枚以上このバッファメモリ部１６に保存される場合について説明する。また、ここではバッファメモリ部１６に保存される４５枚の画像に対応する画像記憶領域を、画像記憶領域０１から画像記憶領域４５として説明する。また、Ｓ１連写画像が１０枚である場合について説明する。
【００８３】
たとえばスイッチＳ１が押下されたことに応じて、画像記憶領域０１から順にＳ１連写画像を記憶していく。スイッチＳ１が押下されている期間においては、バッファメモリ部１６において、画像記憶領域４５の次には画像記憶領域０１に画像が記憶される。すなわち、バッファメモリ部１６はリングバッファとなっている。
【００８４】
その後、たとえば、画像記憶領域４１を保存している段階においてスイッチＳ２が押下されたことに応じて、画像記憶領域４１からＳ２連写画像を順に撮影する。ここでＳ１連写画像が１０枚であるために、画像記憶領域３１から画像記憶領域４０までの１０枚のＳ１連写画像は上書きしないようにし、画像記憶領域３０がＳ２連写画像の保存可能領域の終端となる。よってＳ２連写画像の枚数は、最大で、画像記憶領域４１から画像記憶領域４５と画像記憶領域１とを順に介して画像記憶領域３０までの合計３５枚となる。
【００８５】
＜第２の実施形態＞
次に図１８を用いて第２の実施形態による一例としてのＳ１連写枚数とＳ２連写枚数とについて説明する。図５および図６を用いて説明した第１の実施形態によるＳ１連写枚数とＳ２連写枚数とは、段階的に変化していた。これに対して、この図１８を用いて説明する第２の実施形態によるＳ１連写枚数とＳ２連写枚数とは、後述するように連続して変化する。
【００８６】
まず図１８に示すように、撮影可能枚数が４５枚から２８枚である第１の撮影可能枚数の範囲にある場合について説明する。この第１の撮影可能枚数の範囲においては、撮影可能枚数が４５枚の場合にはＳ１連写枚数を２３枚としＳ２連写枚数を２２として、撮影可能枚数が１枚減じる毎にＳ２連写枚数を１枚ずつ減じていく。よって、撮影可能枚数が２８枚の場合には、Ｓ１連写枚数が２３枚であり、Ｓ２連写枚数が５枚となる。
【００８７】
次に図１８に示すように、撮影可能枚数が２７枚から１０枚である第２の撮影可能枚数の範囲にある場合について説明する。この第２の撮影可能枚数の範囲においては、撮影可能枚数が１枚減じる毎にＳ１連写枚数を１枚ずつ減じていく。よって撮影可能枚数が２７枚の場合には、Ｓ１連写枚数が２２枚であり、Ｓ２連写枚数が５枚となる。また、撮影可能枚数が１０枚の場合には、Ｓ１連写枚数が５枚であり、Ｓ２連写枚数が５枚となる。
【００８８】
次に図１８に示すように、撮影可能枚数が１０枚から１枚である第３の撮影可能枚数の範囲にある場合について説明する。この第３の撮影可能枚数の範囲においては、撮影可能枚数が１枚減じる毎にＳ１連写枚数とＳ２連写枚数とを交互に１枚ずつ減じていく。ただし、Ｓ１連写枚数の方がＳ２連写枚数の方よりも多くなるか、または、Ｓ１連写枚数とＳ２連写枚数とが同数となるようにして、撮影可能枚数が１枚減じる毎にＳ１連写枚数とＳ２連写枚数とを交互に１枚ずつ減じていく。よって撮影可能枚数が９枚の場合には、Ｓ１連写枚数が５枚であり、Ｓ２連写枚数が４枚となる。また、撮影可能枚数が１枚の場合には、Ｓ１連写枚数が１枚であり、Ｓ２連写枚数が０枚となる。
【００８９】
このように第２の実施形態においては、上記に図１８を用いて説明したように、第１の撮影可能枚数の範囲から第３の撮影可能枚数の範囲において、すなわち、４５枚から１枚という撮影可能枚数が取りうる全ての値の範囲において、撮影可能枚数に応じてＳ１連写枚数をＳ２連写枚数よりも多くしている。これにより、撮影可能枚数が少なくなる場合においても、撮影可能枚数に応じて、Ｓ１連写画像をなるべく多く撮影することが可能である。
【００９０】
たとえば、第１の撮影可能枚数の範囲においては、撮影可能枚数が１枚減じる毎にＳ２連写枚数を順に減ずることにより、Ｓ１連写画像をなるべく多く撮影することが可能である。また、Ｓ２連写画像を少なくとも５枚は撮影する。よって、Ｓ１連写画像をなるべく多く撮影しつつ、Ｓ２連写画像による撮影も行うことが可能である。
【００９１】
また、第２の撮影可能枚数の範囲においては、撮影可能枚数が１枚減じる毎にＳ１連写枚数を順に減ずることにより、Ｓ１連写画像をなるべく多く撮影することが可能である。この場合でも、第１の撮影可能枚数の範囲の場合と同様に、Ｓ２連写画像を少なくとも５枚は撮影する。よって、この第２の撮影可能枚数の範囲においても、Ｓ１連写画像をなるべく多く撮影しつつ、Ｓ２連写画像による撮影も行うことが可能である。
【００９２】
また、第３の撮影可能枚数の範囲においては、撮影可能枚数が１枚減じる毎にＳ１連写枚数とＳ２連写枚数とを交互に１枚ずつ減じていく。ただし、Ｓ１連写枚数の方がＳ２連写枚数の方よりも多くなるか、または、Ｓ１連写枚数とＳ２連写枚数とが同数となるようにして、撮影可能枚数が１枚減じる毎にＳ１連写枚数とＳ２連写枚数とを交互に１枚ずつ減じていく。よって、この第３の撮影可能枚数の範囲においては、撮影可能枚数が非常に少ないにも関わらず、Ｓ１連写画像をなるべく多く撮影しつつ、Ｓ２連写画像による撮影も行うことが可能である。
【００９３】
以上第２との実施形態によるカメラ１においては、設定部が、バッファメモリ部１６から記憶媒体２に転送記録される映像信号の画面数を設定する場合において、空き容量検出部が検出した記憶媒体２の空き容量に応じて、先取り撮影による撮影枚数を連写撮影による枚数よりも多くなるように設定している。これは第１との実施形態によるカメラの場合も同様である。これにより第１と第２の実施形態によるカメラ１は、検出した記憶媒体２の空き容量に応じて、先取り撮影による撮影枚数を連写撮影による枚数よりも多く撮影するために、記憶媒体２の残量が少なくなった場合においても、本来ユーザーが記録したい高速連写時の画像を記録することができるという効果を奏する。
【００９４】
なお、第１の撮影可能枚数および第２の撮影可能枚数の範囲において、Ｓ２連写画像を少なくとも５枚は撮影するようにし、また、第２の撮影可能枚数の範囲においては、Ｓ１連写画像を少なくとも５枚は撮影するようにしている。この５枚という枚数は、撮影において、人が撮影したいと思ってから指でレリーズ釦を押下して、カメラ１で撮影が実行されるまでの遅延時間に対応している。よって、Ｓ１連写画像を少なくとも５枚とすることにより、第１の撮影可能枚数および第２の撮影可能枚数の範囲においては、ユーザーの撮影における遅延時間を減じて、本来ユーザーが記録したい高速連写時の画像を記録することができるという効果を奏する。
【００９５】
なお、上記の第１の実施形態の説明においては、図６の（ｃ１）において、記憶媒体２に記録可能な画像枚数が１枚以上６枚以下の場合には、ユーザーによるＳ１連写画像の枚数に依存せずに、Ｓ１連写枚数を０枚とし、Ｓ２連写枚数を連写可能な枚数の残り枚数（保存可能枚数−０枚）とするとして説明した。しかしこの場合、Ｓ１連写枚数を１枚とし、Ｓ２連写枚数を連写可能な枚数の残り枚数（保存可能枚数−１枚）としてもよい。これによりＳ１連写枚数が１枚あるために、ユーザーの撮影における遅延に対して、少し前の画像を撮影することができる。よって、撮影における遅延時間を減じて、本来ユーザーが記録したい高速連写時の画像を記録することができるという効果を奏する。
【００９６】
また上記の図７から図１６の説明においては、スイッチＳ２が途中で押下されたフレームＮｏにおいて撮影された画像を、Ｓ２連写画像に含めて説明した。しかしながら、このスイッチＳ２が途中で押下されたフレームＮｏにおいて撮影された画像は、Ｓ１連写画像に含めてもよい。このようにすると、たとえば図１５および図１６においてフレームＮｏ５１で撮影される画像０１はＳ１連写枚数となる。そのために図１５および図１６で説明した撮影においても、Ｓ１連写枚数が１枚あるために、ユーザーの撮影における遅延に対して、少し前の画像を撮影することができる。よって、撮影における遅延時間を減じて、本来ユーザーが記録したい高速連写時の画像を記録することができるという効果を奏する。
【００９７】
なお、本実施形態においてはレリーズ釦が半押しされてからＳ１連写撮影が実行されるものとして説明したが、これに限られるものではない。たとえば撮影モードが設定されてから、Ｓ１連写撮影がされてもよい。また、顔検出技術により被写体の顔が検出されてから、Ｓ１連写撮影がされてもよい。いずれの場合においても、ユーザーが自身の操作によりＳ１連写撮影を実行していない場合であっても、Ｓ２連写撮影をする前にＳ１連写撮影が実行されているため、撮影における遅延時間を減じて、本来ユーザーが記録したい高速連写時の画像を記録することができるという効果を奏する。
【００９８】
また、上記の説明においては、記憶媒体２はカメラ１に対して着脱可能に設けられるものとして説明したが、この記憶媒体２はカメラ１の内部に設けられていてもよい。
【００９９】
以上、この発明の実施形態を図面を参照して詳述してきたが、具体的な構成はこの実施形態に限られるものではなく、この発明の要旨を逸脱しない範囲の設計等も含まれる。
【符号の説明】
【０１００】
１…カメラ、２…記憶媒体、１１…撮影レンズ、１３…撮像素子、１４…Ａ／Ｄ変換部、１６…バッファメモリ部、１７…操作部、１７１…半押しスイッチ、１７２…レリーズスイッチ
【図１】
2010177889.tif 000003
【図２】
2010177889.tif 000004
【図３】
2010177889.tif 000005
【図４】
2010177889.tif 000006
【図５】
2010177889.tif 000007
【図６】
2010177889.tif 000008
【図７】
2010177889.tif 000009
【図８】
2010177889.tif 000010
【図９】
2010177889.tif 000011
【図１０】
2010177889.tif 000012
【図１１】
2010177889.tif 000013
【図１２】
2010177889.tif 000014
【図１３】
2010177889.tif 000015
【図１４】
2010177889.tif 000016
【図１５】
2010177889.tif 000017
【図１６】
2010177889.tif 000018
【図１７】
2010177889.tif 000019
【図１８】
2010177889.tif 000020